(57)【要約】【課題】オーバーライト特性を測定するためのイメージ妨害対策用測定装置の複雑な回路構成を省略化し、低コストな装置を提供すること。【解決手段】オーバーライト特性の測定に用いられるローカル周波数を決定し、決定されたローカル周波数と中間周波フィルタの中心周波数との和又は差によって算出される周波数帯域内に、前記記録媒体に前記所定のオーバーライト周波数を用いて記録された既知の周波数成分以外の信号検出可能な周波数成分を有するイメージ周波数が存在するか否かを判定し、算出された周波数帯域内に、記録媒体に記録された既知の周波数成分以外の信号検出可能な周波数成分を有するイメージ周波数が存在する場合、当該イメージ周波数の周波数成分が検出されないように、前記ローカル周波数を変更する。【選択図】図１
2010073290.tif 000002
【特許請求の範囲】
【請求項１】
所定のオーバーライト周波数を用いてオーバーライトされた記録媒体に対するオーバーライト特性の測定において、イメージ周波数を回避して信号検出を行うための制御方法であって、
前記オーバーライト特性の測定に用いられるローカル周波数を決定する工程と、
前記決定されたローカル周波数と中間周波フィルタの中心周波数との和又は差によって算出される周波数帯域内に、前記記録媒体に前記所定のオーバーライト周波数を用いて記録された既知の周波数成分以外の信号検出可能な周波数成分を有するイメージ周波数が存在するか否かを判定する工程と、
前記算出された周波数帯域内に、前記記録媒体に記録された既知の周波数成分以外の信号検出可能な周波数成分を有するイメージ周波数が存在する場合、当該イメージ周波数の周波数成分が検出されないように、前記ローカル周波数を変更する工程と
を具えたことを特徴とする制御方法。
【請求項２】
前記変更する工程は、
前記イメージ周波数が、前記オーバーライト周波数と一致する場合、前記ローカル周波数を変更する工程を含むことを特徴とする請求項１記載の制御方法。
【請求項３】
前記変更する工程は、
前記ローカル周波数を、前記オーバーライト周波数の低周波側又は高周波側に前記算出された周波数帯域分だけ変更する工程を含むことを特徴とする請求項１又は２記載の制御方法。
【請求項４】
所定のオーバーライト周波数を用いてオーバーライトされた記録媒体に対するオーバーライト特性の測定において、イメージ周波数を回避して信号検出を行うための制御方法であって、
前記オーバーライト特性の測定に用いられるローカル周波数を決定する工程と、
前記決定されたローカル周波数と中間周波フィルタの中心周波数との和又は差によって算出される周波数帯域内に、前記記録媒体に前記所定のオーバーライト周波数を用いて記録された既知の周波数成分以外の信号検出可能な周波数成分を有するイメージ周波数が存在するか否かを判定する工程と、
前記算出された周波数帯域内に、前記記録媒体に記録された既知の周波数成分以外の信号検出可能な周波数成分を有するイメージ周波数が存在する場合、当該イメージ周波数の周波数成分が検出されないように、前記オーバーライト特性の測定に用いられる測定用書込み周波数を変更する工程と
を具えたことを特徴とする制御方法。
【請求項５】
前記変更する工程は、
前記イメージ周波数が、前記オーバーライト周波数と一致する場合、前記測定用書込み周波数を変更する工程を含むことを特徴とする請求項４記載の制御方法。
【請求項６】
前記変更する工程は、
前記測定用書込み周波数を、前記オーバーライト特性の測定可能な周波数範囲内での変更であって、前記オーバーライト周波数の低周波側又は高周波側に前記中間周波フィルタの通過帯域幅分だけ変更する工程を含むことを特徴とする請求項４又は５記載の制御方法。
【請求項７】
コンピュータによって実行される請求項１ないし６のいずれかに記載の方法を記録したコンピュータ読取可能な記録媒体。
【請求項８】
所定のオーバーライト周波数を用いてオーバーライトされた記録媒体に対するオーバーライト特性の測定において、イメージ周波数を回避して信号検出を行うための制御装置であって、
前記オーバーライト特性の測定に用いられるローカル周波数を決定する手段と、
前記決定されたローカル周波数と中間周波フィルタの中心周波数との和又は差によって算出される周波数帯域内に、前記記録媒体に前記所定のオーバーライト周波数を用いて記録された既知の周波数成分以外の信号検出可能な周波数成分を有するイメージ周波数が存在するか否かを判定する手段と、
前記算出された周波数帯域内に、前記記録媒体に記録された既知の周波数成分以外の信号検出可能な周波数成分を有するイメージ周波数が存在する場合、当該イメージ周波数の周波数成分が検出されないように、前記ローカル周波数を変更する手段と
を具えたことを特徴とする制御装置。
【請求項９】
前記変更する手段は、
前記イメージ周波数が、前記オーバーライト周波数と一致する場合、前記ローカル周波数を変更する手段を含むことを特徴とする請求項８記載の制御装置。
【請求項１０】
前記変更する手段は、
前記ローカル周波数を、前記オーバーライト周波数の低周波側又は高周波側に前記算出された周波数帯域分だけ変更する手段を含むことを特徴とする請求項８又は９記載の制御装置。
【請求項１１】
所定のオーバーライト周波数を用いてオーバーライトされた記録媒体に対するオーバーライト特性の測定において、イメージ周波数を回避して信号検出を行うための制御装置であって、
前記オーバーライト特性の測定に用いられるローカル周波数を決定する手段と、
前記決定されたローカル周波数と中間周波フィルタの中心周波数との和又は差によって算出される周波数帯域内に、前記記録媒体に前記所定のオーバーライト周波数を用いて記録された既知の周波数成分以外の信号検出可能な周波数成分を有するイメージ周波数が存在するか否かを判定する手段と、
前記算出された周波数帯域内に、前記記録媒体に記録された既知の周波数成分以外の信号検出可能な周波数成分を有するイメージ周波数が存在する場合、当該イメージ周波数の周波数成分が検出されないように、前記オーバーライト特性の測定に用いられる測定用書込み周波数を変更する手段と
を具えたことを特徴とする制御装置。
【請求項１２】
前記変更する手段は、
前記イメージ周波数が、前記オーバーライト周波数と一致する場合、前記測定用書込み周波数を変更する手段を含むことを特徴とする請求項１１記載の制御装置。
【請求項１３】
前記変更する手段は、
前記測定用書込み周波数を、前記オーバーライト特性の測定可能な周波数範囲内での変更であって、前記オーバーライト周波数の低周波側又は高周波側に前記中間周波フィルタの通過帯域幅分だけ変更する手段を含むことを特徴とする請求項１１又は１２記載の制御装置。
【発明の詳細な説明】
【技術分野】
【０００１】
本発明は、記録媒体のオーバーライト特性の測定方法に関し、特に、ハードディスク等の磁気記録媒体のオーバーライト特性の測定におけるイメージ妨害信号を回避する制御方法、および、その制御装置に関する。
【背景技術】
【０００２】
ハードディスク等の記録媒体の検査装置の検査項目の１つに、オーバーライト測定がある。オーバーライト測定の方法は、通常、以下の手順に従って処理される。
【０００３】
手順１．検査媒体の所望のトラック上に周波数（１）の信号を記録する。
【０００４】
手順２．手順１の周波数（１）を記録したトラック上に重ねて、周波数（２）の信号を記録する。
【０００５】
手順３．後から重ね書きした周波数（２）の信号を通過させず、最初に記録した周波数（１）のみを抽出するフィルタを通して、オーバーライトされた後の周波数（１）の残留成分を検出する。
【０００６】
手順４．その検出された周波数（１）の残留成分の大きさによって検査媒体のオーバーライト特性を把握する、という処理を行う。
【０００７】
この測定で、前述のオーバーライト測定の方法で述べた手順３に記した測定では、検査媒体の測定トラック上には、周波数（２）の信号が記録されており、その振幅は通常のハードディスクでの記録再生レベルであるが、その信号に対して、オーバーライト特性を把握するために測定しなければならない周波数（１）の残留成分は、周波数（２）に比べてその振幅は−４０ｄBほどで、非常に小さい。
【０００８】
通常、このような振幅差の大きな信号を精度良く測定するには、スペクトラムアナライザが適しており、研究開発段階の性能検査には、実際にスペクトラムアナライザが使用されている。しかし、ハードディスク等の記録媒体の検査装置においては、その測定速度などの点から、オーバーライト特性の専用の測定装置として、ペクトラムアナライザと同等の性能を持ち、かつ測定速度が充分である計測器を特別に作成して組込む必要がある。
【０００９】
【特許文献１】特開２００３−８５７０１号公報
【発明の開示】
【発明が解決しようとする課題】
【００１０】
ハードディスク等の磁気記録媒体の検査装置におけるオーバーライト測定では、検査媒体の特定のトラックに一度書き込み、その上から重ね書きした信号によって非常に微小な振幅になった最初に書き込まれた信号の残留成分を検出しなくてはならない。このときの信号の状態は、重ね書きによって記録された大きな振幅信号があり、その信号に埋もれるように、振幅比で１％に満たない状態で測定周波数が存在している。オーバーライト測定では、この大きな振幅の信号に埋もれた残留信号を弁別し測定しなくてはならない。
【００１１】
また、この測定すべき信号の周波数は、測定者の任意の周波数でなくてはならないため、測定周波数を弁別するためのフィルタリング機能の周波数は、測定者によって任意に設定変更できなくてはならない。
【００１２】
このような、任意の周波数のフィルタリング機能を作り出す方法として、ヘテロダイン（周波数変換）方式が良く使われる。
【００１３】
ヘテロダイン方式の基本構成要素は、測定信号を周波数変換するためのミキサーと、周波数変換された信号の特定の周波数成分を抜き出すための中間周波フィルタ（ＩＦフィルタ）と、ミキサーに注入するためのローカル信号発生器とからなる。
【００１４】
動作は、ミキサーに測定信号を与え、その周波数に対して、中間周波数（ＩＦ周波数）だけ上（測定周波数＋ＩＦ周波数）または、下（測定周波数−ＩＦ周波数）の周波数の信号をローカル周波数としてミキサーに加えることで、測定信号をＩＦ周波数に変換することができ、そのＩＦ周波数の信号を測定することで、測定周波数の信号の状態を測定できる。また、ローカル周波数を変更することで、所望の周波数を測定周波数に設定し、測定することができる。
【００１５】
しかし、この構成では、測定周波数Ｆｍを測定するために、ローカル周波数ＬｏをＦｍ＋ＩＦ（測定周波数＋中間周波数）に設定すると、Ｆｍの周波数と共に、Ｌｏ−ＩＦの周波数Ｆｉが、測定しようとする周波数Ｆｍと全く同じ感度でＩＦ周波数に変換され、測定信号に重畳されて測定されてしまう。ヘテロダイン型周波数変換装置では、ローカル周波数Ｌｏに対して、ＩＦ周波数だけ加算された周波数（Ｌｏ＋ＩＦ）と、ＩＦ周波数だけ減算された周波数（Ｌｏ−ＩＦ）とが同時にＩＦ周波数に変換される。
【００１６】
この加算および減算で決定されるミキサーへの入力周波数のうち、測定者が測定周波数として意図していない周波数側の周波数をイメージ周波数と呼び、その意図していない側の周波数からＩＦに変換されて、本来測定しようとする周波数に重畳してしまう信号を、イメージ妨害信号と呼んでいる。
【００１７】
このイメージ妨害信号を除去するためには、当該回路の前段にイメージ周波数を濾波するための可変周波数フィルタを置くか、又は、イメージ周波数を測定帯域外にするためのミキサーと、ローカル発信器と、ＩＦフィルタとを備えたヘテロダイン回路を設置して、ダブルヘテロダインの構成にするという方法が取られる。
【００１８】
このようなイメージ妨害の措置は、市販のスペクトラムアナライザでは当然行われており、従来のハードディスク等の磁気記録媒体の検査装置においても同様の回路構成で測定回路を構成している。この測定回路の回路構成は非常に複雑で、構成要素となる電子部品も高価であるため、このオーバーライト測定機能を複数チャンネルで共用するためのスイッチ回路を設けるなどして装置の高額化を防ぐなどの工夫をしている。
【００１９】
しかし、これら複雑な回路構成とする措置は、システム構成をさらに複雑化する要因にもなっていて、ハードディスク等の磁気記録媒体の検査装置全体に係るコストを高くするひとつの要因になっている。
【００２０】
そこで、本発明の目的は、オーバーライト特性の測定におけるイメージ妨害対策用の複雑な回路構成を省略化し、低コストな装置を提供することが可能な、イメージ妨害信号を回避する制御方法、および、その制御装置を提供することにある。
【課題を解決するための手段】
【００２１】
本発明は、所定のオーバーライト周波数を用いてオーバーライトされた記録媒体に対するオーバーライト特性の測定において、イメージ周波数を回避して信号検出を行うための制御方法であって、前記オーバーライト特性の測定に用いられるローカル周波数を決定する工程と、前記決定されたローカル周波数と中間周波フィルタの中心周波数との和又は差によって算出される周波数帯域内に、前記記録媒体に前記所定のオーバーライト周波数を用いて記録された既知の周波数成分以外の信号検出可能な周波数成分を有するイメージ周波数が存在するか否かを判定する工程と、前記算出された周波数帯域内に、前記記録媒体に記録された既知の周波数成分以外の信号検出可能な周波数成分を有するイメージ周波数が存在する場合、当該イメージ周波数の周波数成分が検出されないように、前記ローカル周波数を変更する工程とを具えたことを特徴とする。
【００２２】
前記変更する工程は、前記イメージ周波数が、前記オーバーライト周波数と一致する場合、前記ローカル周波数を変更する工程を含んでもよい。
【００２３】
前記変更する工程は、前記ローカル周波数を、前記オーバーライト周波数の低周波側又は高周波側に前記算出された周波数帯域分だけ変更する工程を含んでもよい。
【００２４】
本発明は、所定のオーバーライト周波数を用いてオーバーライトされた記録媒体に対するオーバーライト特性の測定において、イメージ周波数を回避して信号検出を行うための制御方法であって、前記オーバーライト特性の測定に用いられるローカル周波数を決定する工程と、前記決定されたローカル周波数と中間周波フィルタの中心周波数との和又は差によって算出される周波数帯域内に、前記記録媒体に前記所定のオーバーライト周波数を用いて記録された既知の周波数成分以外の信号検出可能な周波数成分を有するイメージ周波数が存在するか否かを判定する工程と、前記算出された周波数帯域内に、前記記録媒体に記録された既知の周波数成分以外の信号検出可能な周波数成分を有するイメージ周波数が存在する場合、当該イメージ周波数の周波数成分が検出されないように、前記オーバーライト特性の測定に用いられる測定用書込み周波数を変更する工程とを具えたことを特徴とする。
【００２５】
前記変更する工程は、前記イメージ周波数が、前記オーバーライト周波数と一致する場合、前記測定用書込み周波数を変更する工程を含んでもよい。
【００２６】
前記変更する工程は、前記測定用書込み周波数を、前記オーバーライト特性の測定可能な周波数範囲内での変更であって、前記オーバーライト周波数の低周波側又は高周波側に前記中間周波フィルタの通過帯域幅分だけ変更する工程を含んでもよい。
【００２７】
本発明、コンピュータによって実行される上記記載の方法を記録したコンピュータ読取可能な記録媒体。
【００２８】
本発明は、所定のオーバーライト周波数を用いてオーバーライトされた記録媒体に対するオーバーライト特性の測定において、イメージ周波数を回避して信号検出を行うための制御装置であって、前記オーバーライト特性の測定に用いられるローカル周波数を決定する手段と、前記決定されたローカル周波数と中間周波フィルタの中心周波数との和又は差によって算出される周波数帯域内に、前記記録媒体に前記所定のオーバーライト周波数を用いて記録された既知の周波数成分以外の信号検出可能な周波数成分を有するイメージ周波数が存在するか否かを判定する手段と、前記算出された周波数帯域内に、前記記録媒体に記録された既知の周波数成分以外の信号検出可能な周波数成分を有するイメージ周波数が存在する場合、当該イメージ周波数の周波数成分が検出されないように、前記ローカル周波数を変更する手段とを具えたことを特徴とする。
【００２９】
本発明は、所定のオーバーライト周波数を用いてオーバーライトされた記録媒体に対するオーバーライト特性の測定において、イメージ周波数を回避して信号検出を行うための制御装置であって、前記オーバーライト特性の測定に用いられるローカル周波数を決定する手段と、前記決定されたローカル周波数と中間周波フィルタの中心周波数との和又は差によって算出される周波数帯域内に、前記記録媒体に前記所定のオーバーライト周波数を用いて記録された既知の周波数成分以外の信号検出可能な周波数成分を有するイメージ周波数が存在するか否かを判定する手段と、前記算出された周波数帯域内に、前記記録媒体に記録された既知の周波数成分以外の信号検出可能な周波数成分を有するイメージ周波数が存在する場合、当該イメージ周波数の周波数成分が検出されないように、前記オーバーライト特性の測定に用いられる測定用書込み周波数を変更する手段とを具えたことを特徴とする。
【発明を実施するための最良の形態】
【００３０】
以下、図面を参照して、本発明の実施の形態を詳細に説明する。
【００３１】
［第１の例］
本発明の第１の実施の形態を、図１〜図４に基づいて説明する。
【００３２】
＜構成の概要＞
本発明の詳細な説明を行う前に、回路構成の概要について説明する。
【００３３】
本発明は、前述したイメージ妨害信号を除去するための前置可変フィルタや、ダブルヘテロダイン回路を使用せずに、イメージ妨害信号を受けることなく、オーバーライト特性を測定しようとするものである。
【００３４】
ハードディスク等の記録媒体の検査装置におけるオーバーライト測定では、スペクトラムアナライザなどの汎用計測器で行われる信号測定に比べ、その測定前提条件が狭く絞られているので、このオーバーライト測定という特殊な条件下においてのみ、イメージ妨害信号を受けることなく測定できれば、ハードディスク等の記録媒体検査装置においては、イメージ妨害対策用の回路装置を省略できる。
【００３５】
汎用スペクトラムアナライザの場合、測定周波数が全くの任意で、特定の周波数を観測しているときに、他のいかなる周波数の入力があっても、観測周波数の結果に影響を与えてはいけない。
【００３６】
これに対して、ハードディスク等の記録媒体の検査装置においては、オーバーライト測定を実施する前に、検査対象の記録媒体に書き込まれる、最初の書き込み周波数（１）と、次に書き込まれるオーバーライトする周波数（２）との信号周波数は、測定者が任意に設定したものであり、測定時には測定周波数（通常では、最初に書き込まれる書き込み周波数（１）と同じ）と、測定周波数の観測帯域外にあるオーバーライトした周波数（２）とは既知の値であり、それ以外の周波数成分の信号成分は入力信号に存在しない。
【００３７】
そこで、本発明では、ハードディスク等の記録媒体の検査装置での測定前提条件では、オーバーライト特性の測定時には、測定周波数以外に入力信号に存在する周波数成分は、オーバーライトした信号の周波数成分だけで、他に存在しないので、測定周波数を観測する時に設定されたヘテロダイン・ミキサーへのローカル信号の周波数から作り出されるイメージ周波数が、当該オーバーライト信号周波数に一致しなければ、該信号によってイメージ妨害を受けることは無い、という点を考慮して構成するようにした。
【００３８】
以下、本発明について詳細に説明する。
【００３９】
＜回路構成＞
図１は、本発明に係る簡易へテロダイン回路を構成する検査装置１００の概略構成を示す。
【００４０】
検査装置１００は、リード信号増幅回路１０１からの測定周波数Ｆｍの測定信号１を周波数変換するためのミキサー２と、周波数変換された信号の特定の周波数成分を抜き出すための中間周波フィルタ（ＩＦフィルタ）３と、抜き出された特定の周波数成分からなる信号の振幅を検出する振幅検知器４と、ミキサー２に注入するためのローカル周波数Ｌｏのローカル信号５を発信するローカル周波数発信器６と、オーバーライト特性の測定に用いられる試験信号としての書込み周波数（ＦＬ，ＦＨ）の書込み信号７を発信する書込み周波数発信器８と、書込み信号７が入力されるヘッド制御回路９と、記録媒体１０２（例えば、ハードディスク用磁気記録媒体）に対してリード又はライトを行うリード／ライトヘッド部１０と、ローカル周波数発信器６および書込み周波数発信器８に対して、ローカル周波数Ｌｏおよび書込み周波数（ＦＬ，ＦＨ）の設定をそれぞれ行う周波数設定回路１１と、ローカル周波数Ｌｏおよび書込み周波数（ＦＬ，ＦＨ）の設定の制御を行う制御回路１２とから構成される。
【００４１】
制御回路１２は、測定周波数設定データ１３が入力されてローカル周波数設定データ１４を算出するローカル周波数算出部１５と、書込み周波数（ＦＬ，ＦＨ）設定データ１６が入力されて設定変更内容に応じて設定変更されたデータを算出する書込み周波数（ＦＬ，ＦＨ）算出部１７と、算出されたローカル周波数設定データ１４を用いてイメージ周波数を演算処理により求めるイメージ周波数演算部１８と、演算により求めたイメージ周波数が、測定しようとする測定周波数に重畳してしまうイメージ妨害信号に該当するか否かを判定するイメージ妨害判定部１９と、判定結果に基づいて書込み周波数（ＦＬ，ＦＨ）設定データ１６の設定周波数を変更する設定周波数変更部２０とを備える。
【００４２】
＜回路動作＞
回路動作について説明する。
【００４３】
図２は、本発明に係る制御回路１２において実行されるイメージ周波数の回避処理を説明するフローチャートを示す。
【００４４】
この例では、所定のオーバーライト周波数を用いてオーバーライトされた記録媒体に対するオーバーライト特性の測定において、イメージ周波数を回避して信号検出を行うための制御方法の一例を示す。
【００４５】
ステップＳ１では、ローカル周波数算出部１５において、オーバーライト特性の測定に用いられるローカル周波数Ｌｏを決定する。
【００４６】
ステップＳ２では、イメージ周波数演算部１８およびイメージ妨害判定部１９を用いて、決定されたローカル周波数Ｌｏと中間周波フィルタ３の中心周波数との和又は差によって算出される周波数帯域内に、記録媒体１０２としてのハードディスク用磁気記録媒体に所定のオーバーライト周波数を用いて記録された既知の周波数成分以外の信号検出可能な周波数成分を有するイメージ周波数が存在するか否かを判定する。
【００４７】
ステップＳ３では、算出された周波数帯域内に、記録媒体１０２に記録された既知の周波数成分以外の信号検出可能な周波数成分を有するイメージ周波数が存在すると判定した場合、書込み周波数（ＦＬ，ＦＨ）算出部１７および設定周波数変更部２０を用いて当該イメージ周波数の周波数成分が検出されないように、ローカル周波数Ｌｏを変更する。
【００４８】
この場合、ローカル周波数Ｌｏの変更は、以下のように設定してもよい。
【００４９】
すなわち、イメージ周波数が、オーバーライト周波数と一致する場合において、ローカル周波数Ｌｏを変更するようにしてもよい。また、ローカル周波数Ｌｏを、オーバーライト周波数の低周波側又は高周波側に、算出された周波数帯域分だけ変更するようにしてもよい。
【００５０】
＜具体例＞
次に、具体例を挙げて説明する。
【００５１】
ローカル周波数発信器６のローカル周波数Ｌｏを変更することによって、イメージ妨害信号を回避する方法について説明する。
【００５２】
手順１）所望の測定周波数が得られるように、ローカル信号のローカル周波数Ｌｏを決定する。
【００５３】
手順２）ローカル周波数Ｌｏより算出されるイメージ周波数±［（中間周波フィルタ（ＩＦフィルタ）通過帯域／２）＋α］に、オーバーライト特性の測定周波数（通常は、最初の書込み周波数と同じ）が存在するか判断する。この場合、ローカル周波数Ｌｏの高調波から作り出されるイメージ周波数も含めて一致を確認する。
【００５４】
ここで、イメージ周波数の演算例を挙げる。
イメージ周波数＝（Ｌｏ×ｎ）±ＩＦ中心周波数±［（ＩＦ通過帯域／２）＋α］  …（１）
（ｎは、Ｌｏの高調波次数、αは、ＩＦフィルタへの信号もれ込みを防ぐためのガードバンド周波数幅）
【００５５】
手順３）手順２でイメージ周波数とオーバーライト特性の測定周波数とが一致する場合は、手順１で設定したローカル周波数Ｌｏを逆ヘテロダイン側に切り替える。ただし、Ｌｏ＝測定周波数＋ＩＦの場合には、その逆のＬｏ＝測定周波数−ＩＦに設定する。
【００５６】
＜イメージ妨害信号の回避方法＞
次に、図１の簡易へテロダイン回路を用いて構成した場合、イメージ妨害信号を回避できる理由を、図３および図４を用いて説明する。
【００５７】
ヘテロダインを行うと、イメージ妨害が発生する（すなわち、イメージ周波数が存在する）。この場合、従来の対策としては、ダブル（またはトリプル）ヘテロダインによって、妨害を回避していた。
【００５８】
これに対して、本発明では、イメージが入る可能性がある回路のまま、そのイメージ周波数のウインドウを、信号成分の無い周波数になるよう、局部発振周波数をスイッチ（シフト）することで妨害を回避するというものである。これは、空中を飛ぶ電波信号を解析するようなスペクトラムアナライザでは、どの周波数に信号が存在するかわからないので、この方法は取れないが、媒体試験においては、消去後、既知の周波数成分の信号を書き込むので、丁度イメージ周波数ウインドウの入り込まないように回路側の構成を変えることができる。この方法によれば、回路構成が非常に簡略化できる。なお、イメージ周波数は、測定周波数と全く０ｄＢで信号を検知してしまうので、媒体ノイズ成分は測定信号に重畳した形で測定されてしまう欠点はある。
【００５９】
換言すれば、本発明は、一般の周波数観測においてはこの方法は使用できないが、媒体検査という特性を利用したものであり、独自性がある。
【００６０】
図３は、ヘテロダイン方式におけるイメージ妨害の例を示す。
【００６１】
この例では、中心周波数１０ＭＨｚの中間周波フィルタを使ったときで、観測したい周波数の１０ＭＨｚ下に局部発振周波数（ローカル周波数Ｌｏ）を設定することにより、その周波数が１０ＭＨｚに周波数変換されて観測することができる（５０ＭＨｚ−４０ＭＨｚ＝１０ＭＨｚ）。
【００６２】
しかし、これと同時に、３０ＭＨｚの信号も１０ＭＨｚに周波数変換されるため（４０ＭＨｚ−３０ＭＨｚ＝１０ＭＨｚ）、５０ＭＨｚの信号と３０ＭＨｚの信号とが全く同等の感度で計測されてしまう。
【００６３】
局部発信周波数に対して、中間周波フィルタ３の周波数との和信号を観測周波数とするか、差信号を観測周波数にするかは自由であるが、観測に使用しない側のヘテロダイン周波数をイメージ周波数と呼ぶ。
【００６４】
図４は、本発明に係る局部発信周波数の変更によるイメージ回避の方法を示す。
【００６５】
この例において、記録媒体１０２上に、３０ＭＨｚの信号成分が存在する場合、妨害となるので、局部発振周波数を、観測したい周波数＜５０ＭＨｚ＞の中間周波数の１０ＭＨｚだけ上側に設定する。観測信号の５０ＭＨｚは、（６０ＭＨｚ−５０ＭＨｚ＝１０ＭＨｚ）で、１０ＭＨｚに変換されて観測できる。
【００６６】
このとき、イメージ周波数は、６０ＭＨｚ＋１０ＭＨｚ＝７０ＭＨｚとなるので、記録媒体１０１上に７０ＭＨｚの信号成分が含まれていなければ、観測に支障はない。
【００６７】
以上説明したように、記録媒体１０２の計測では、予め書き込む周波数成分が分っているため、このような方法での回避が可能となる。
【００６８】
従って、オーバーライト特性の測定回路として制御回路１２を備えた検査装置１００を構成したので、オーバーライト特性の測定において、イメージ妨害対策用の回路を省略化することができ、装置コストの低減を図ることができる。
【００６９】
また、オーバーライト特性の測定回路を簡易へテロダイン回路の構成としたことにより、イメージ妨害対策用の回路を簡略化することができるので、多チャンネルを想定した装置において行われていた、オーバーライト特性の測定回路を共有化するための複雑なスイッチ回路などを省略することができる。
【００７０】
さらに、オーバーライト特性の測定回路として、各チャンネル毎に検査装置１００の制御回路１２を設けたことにより、計測速度を向上させることも可能となる。
【００７１】
［第２の例］
本発明の第２の実施の形態を、図５に基づいて説明する。なお、前述した第１の例と同一部分については、その説明を省略し、同一符号を付す。
【００７２】
本例は、前述した第１の例の図１の検査装置１００の制御回路１２における制御処理の内容を変更したものである。検査装置１００の回路構成は図１と同様であり、ここでの説明は省略する。
【００７３】
＜回路動作＞
回路動作について説明する。
【００７４】
図５は、本発明に係る制御回路１２において実行されるイメージ周波数の回避処理を説明するフローチャートを示す。
【００７５】
ステップＳ１０では、ローカル周波数算出部１５において、オーバーライト特性の測定に用いられるローカル周波数Ｌｏを決定する。
【００７６】
ステップＳ１１では、イメージ周波数演算部１８およびイメージ妨害判定部１９を用いて、決定されたローカル周波数Ｌｏと中間周波フィルタ３の中心周波数との和又は差によって算出される周波数帯域内に、記録媒体１０２としてのハードディスク用磁気記録媒体に所定のオーバーライト周波数を用いて記録された既知の周波数成分以外の信号検出可能な周波数成分を有するイメージ周波数が存在するか否かを判定する。
【００７７】
ステップＳ１２では、算出された周波数帯域内に、記録媒体１０２に記録された既知の周波数成分以外の信号検出可能な周波数成分を有するイメージ周波数が存在すると判定した場合、書込み周波数（ＦＬ，ＦＨ）算出部１７および設定周波数変更部２０を用いて当該イメージ周波数の周波数成分が検出されないように、オーバーライト特性の測定に用いられる測定用の書込み周波数（ＦＬ，ＦＨ）を変更する。
【００７８】
この場合、測定用の書込み周波数（ＦＬ，ＦＨ）の変更は、以下のように設定してもよい。
【００７９】
すなわち、イメージ周波数が、オーバーライト周波数と一致する場合、書込み周波数（ＦＬ，ＦＨ）を変更するようにしてもよい。また、書込み周波数（ＦＬ，ＦＨ）を、オーバーライト特性の測定可能な周波数範囲内での変更であって、オーバーライト周波数の低周波側又は高周波側に中間周波フィルタ３の通過帯域幅分だけ変更するようにしてもよい。
【００８０】
＜具体例＞
次に、具体例を挙げて説明する。
【００８１】
測定周波数としての測定用の書込み周波数（ＦＬ，ＦＨ）を変更することによって、イメージ妨害信号を回避する方法について説明する。
【００８２】
手順４）前述した第１の例のイメージ妨害信号を回避する方法における手順３により変更を行った場合、再度、ローカル周波数Ｌｏより算出されるイメージ周波数±［（ＩＦ通過帯域／２）＋α］にオーバーライト特性の測定周波数が存在するか判断する。
【００８３】
手順５）イメージ周波数に測定周波数が一致すると判断した場合は、オーバーライト特性の測定のための、２つの書込み周波数（FLとFH）のどちらか、又は両方の周波数を、中間周波フィルタ３の通過帯域幅分だけ、＋側又は−側に変更する。
【００８４】
手順６）前述した第１の例の手順１を行うことにより、イメージ周波数は、オーバーライト特性の測定周波数帯域内に存在しなくなり、イメージ妨害を回避できる。
【００８５】
手順７）測定用の書込み周波数の変更は、１００ＫＨｚほどの微小周波数であり、オーバーライト特性に対して、ほとんど影響しない。
【００８６】
＜イメージ妨害信号の回避方法＞
次に、図１の簡易へテロダイン回路を用いて構成した場合、イメージ妨害信号を回避できる理由について説明する。
【００８７】
この例では、本発明に係る測定周波数の変更によるイメージ回避の方法を示す。
【００８８】
前述した図３の例において、妨害になる周波数成分が３０MHｚの場合、例えば観測周波数を５２ＭＨｚに変更すると、イメージ周波数は３２ＭＨｚになり、中間周波フィルタ３の通過帯域幅（通常、オーバーライトでは１００ＫＨｚほど）に３０ＭＨｚの信号が入らなければ計測に支障はない。
【００８９】
オーバーライトの書込み周波数の設定時に、イメージ周波数に検査周波数（又は、その高調波）が一致するかは予め分るので、検査装置１００の制御回路１２において、この一致を回避するようにアラーム設定とすることにより、オーバーライト特性の測定回路として簡易回路に構成して計測することが可能となる。
【図面の簡単な説明】
【００９０】
【図１】本発明の第１の実施の形態である、イメージ妨害信号を回避するための検査装置の構成を示すブロック図である。
【図２】本発明に係る制御回路において実行されるローカル周波数の変更によってイメージ周波数を回避する処理を示すフローチャートである。
【図３】ヘテロダイン方式におけるイメージ妨害の例を示す説明図である。
【図４】ローカル周波数の変更によるイメージ回避の方法を示す説明図である。
【図５】本発明の第２の実施の形態である制御回路において実行される測定用書込み周波数の変更によってイメージ周波数を回避する処理を示すフローチャートである。
【符号の説明】
【００９１】
１  測定信号
２  ミキサー
３  中間周波フィルタ（ＩＦフィルタ）
４  振幅検知器
５  ローカル信号
６  ローカル周波数発信器
７  書込み信号
８  書込み周波数発信器
９  ヘッド制御回路
１０  リード／ライトヘッド部
１１  周波数設定回路
１２  制御回路
１３  測定周波数設定データ
１４  ローカル周波数設定データ
１５  ローカル周波数算出部
１６  書込み周波数（ＦＬ，ＦＨ）設定データ
１７  書込み周波数（ＦＬ，ＦＨ）算出部
１８  イメージ周波数演算部
１９  イメージ妨害判定部
２０  設定周波数変更部
１００  検査装置
１０１  リード信号増幅回路
１０２  記録媒体
【図１】
2010073290.tif 000003
【図２】
2010073290.tif 000004
【図３】
2010073290.tif 000005
【図４】
2010073290.tif 000006
【図５】
2010073290.tif 000007